(57)【要約】【課題】穿刺痛を大幅に軽減することができる医療用穿刺針を提供する。また、十分な血液または注射液等の液流量を確保することができる医療用穿刺針を提供する。【解決手段】先端にテーパー状の穿刺用カット面２が形成された中空の医療用穿刺針１は、カット面２近傍の外径寸法をほぼ１００μｍ程に形成すると共に、基端に至るに従って漸次大径に形成する。【選択図】　図１
2004008522.tif 000002
【特許請求の範囲】
【請求項１】
先端にテーパ状の穿刺用カット面が形成された中空の医療用穿刺針であって、この穿刺針は上記カット面近傍の外径寸法をほぼ１００μｍ程に形成すると共に、基端に至るに従って漸次大径に形成したことを特徴とする医療用穿刺針。
【請求項２】
穿刺針を基端に至るに従って漸次大径に形成すると共に、上記穿刺針の中空管状体内部に渦巻き状の回転ロータを回転自在に配設した請求項１に記載の医療用穿刺針。
【請求項３】
穿刺針の中空管状体内部に配設した回転ロータに永久磁石からなる回転子部を付設すると共に、この回転子部に対応する上記穿刺針の外周に固定子を配設してモータ部を構成し、上記固定子の励磁により上記回転子を回転付勢して上記回転ロータを回転させ穿刺針の中空管状体内を流通する血液または注射液等の液流量を増加させる請求項２に記載の医療用穿刺針。
【請求項４】
基端に至るに従って漸次大径に形成した穿刺針の中空管状体内面に渦巻き状の溝または突条を形成した請求項１に記載の医療用穿刺針。
【請求項５】
先端にテーパー状の穿刺用カット面を有し、上記カット面近傍から基端に至るに従って階段状に漸次大径に形成した中空の医療用穿刺針と、複数本の上記穿刺針の上記カット面側を突出させると共に基端側を固着した固定ベースと、上記穿刺針の基端側に各々挿通した複数本のパイプと、このパイプの一端を各々装着するハブとを備えることを特徴とする医療用穿刺針ユニット。
【発明の詳細な説明】
【０００１】
【発明の属する技術分野】
本発明は、薬液注入、採血および輸血等に適した医療用穿刺針に関するものである。
【０００２】
【従来の技術】
一般に医療に用いられる穿刺針は、図８に示す構造としている。即ち、穿刺針１００は、内径Ｄ０を０．８〜１．５ｍｍとしたパイプ状に形成され、先端には軸方向に対して斜め方向にカットした穿刺用カット面１０１が形成されている。この穿刺針１００を使用して人体へ穿刺するときには、一般に、穿刺痛と呼ばれる痛みが伴う。この痛みは、穿刺針が太い程強くなる。一方、採血および人工透析等において、血管に穿刺針を穿刺して血液を採取する場合、十分な血流量を確保するためには、穿刺針の内径が大きくなければならない。このため、例えば、人工透析を行う場合や採血を行う場合には、内径が０．８〜１．５ｍｍの穿刺針が使用される。また、穿刺痛を緩和するために、先端を軸方向に対して斜め方向にダブルカットした穿刺針が実用に供されている。更に、穿刺針の素材として形状記憶合金を使用すると共に先端の径を細くすることにより穿刺痛を緩和させ、血管に穿刺針を穿刺した後に体温によって径を大きくすることにより十分な血流量を確保する穿刺針も提案されている。
【０００３】
【発明が解決しようとする課題】
しかし、先端がダブルカットされた針の穿刺は熟練を要し、このような穿刺針を未習熟者が使用して穿刺する場合には、逆に患者または献血者等に強い痛みを与えることがある。このような太い径の穿刺針を穿刺した場合は、血管に損傷を与えることがある。このため、穿刺針を抜いた後にも血液の流出が止まらない問題があり、特に、止血し難い患者の場合は死活問題になる。
【０００４】
また、形状記憶合金を使用した穿刺針は、穿刺時の穿刺痛を緩和するためには効果がある。しかし、形状記憶合金の素材自体が高額であり、しかも製造方法が特殊なため高価になり、現代のように、他人への感染防止を目的として使用後に廃棄処分する場合には、必然的に医療費が高騰する問題がある。穿刺痛および血管の過度の損傷、穿刺の際の不安を取り除くためには、針が細いこと、および針の形状が穿刺しやすいものであることが望ましい。しかし、細い穿刺針は十分な血流量または注射液流量が確保できないため、処置の効率が低く実用的でない。
【０００５】
本発明は、かかる問題を解消するために、穿刺痛を大幅に軽減することができる医療用穿刺針を提供することを目的としている。また、十分な血液または注射液等の液流量を確保することができる医療用穿刺針を提供することを第２の目的としている。
【０００６】
【課題を解決するための手段】
上記目的を達成するために、本発明の請求項１に記載の医療用穿刺針は、先端にテーパー状の穿刺用カット面が形成された中空の医療用穿刺針であって、この穿刺針は上記カット面近傍の外径寸法をほぼ１００μｍ程に形成すると共に、基端に至るに従って漸次大径に形成したことを特徴としている。
【０００７】
かかる請求項１に記載の発明によれば、穿刺針のカット面近傍の外径寸法をほぼ１００μｍ程に形成しているので、穿刺痛を軽減もしくは無痛にすることができる。また、カット面近傍の外径寸法を細く形成し、基端に至るに従って階段状に漸次大径に形成しているので、一般に用いられる注射器等と同様に使用することができる。更に、カット面近傍の先端部分の径を小さくしているので、通常の機械加工によって容易に製造することが可能であり、安価な穿刺針を提供することができる。
【０００８】
また、本発明の請求項２に記載の発明は、穿刺針を基端に至るに従って漸次大径に形成すると共に、上記穿刺針の中空管状体内部に渦巻き状の回転ロータを回転自在に配設したことを特徴としている。
【０００９】
かかる請求項２に記載の発明によれば、穿刺針の中空管状体内部に血液又は注射液が流通するとき、渦巻き状の回転ロータを回転して液体の流通を加速させ、或いは流通効率を高めるので、穿刺針のカット面近傍の外径寸法を細く形成しても、十分な液流量を確保することができる。
【００１０】
また、本発明の請求項３に記載の発明は、穿刺針の中空管状体内部に配設した回転ロータに永久磁石からなる回転子部を付設すると共に、この回転子部に対応する上記穿刺針の外周に固定子を配設してモータ部を構成し、上記固定子の励磁により上記回転子を回転付勢して上記回転ロータを回転させ穿刺針の中空管状体内を流通する血液または注射液等の液流量を増加させることを特徴としている。
【００１１】
かかる請求項３に記載の発明によれば、モータ部によって回転子を付設した回転ロータを回転付勢することにより、血液または注射液を能動的に加速させるので、穿刺針のカット面近傍の外径寸法を細く形成しても、十分な液流量を確保することができる。
【００１２】
更にまた、本発明の請求項４に記載の発明は、階段状に形成した穿刺針の中空管状体内面に渦巻き状の溝または突条を形成したことを特徴としている。
【００１３】
かかる請求項４に記載の発明によれば、穿刺針内面に形成した渦巻き状の溝または突条によって、血液又は注射液が流通するときに渦巻き状に回転するので、液体の流通が加速され、穿刺針のカット面近傍の外径寸法を細く形成しても十分な液流量を確保することができる。
【００１４】
また、本発明の請求項５に記載の発明は、先端にテーパー状の穿刺用カット面を有し、上記カット面近傍から基端に至るに従って階段状に漸次大径に形成した中空の医療用穿刺針と、複数本の上記穿刺針の上記カット面側を突出させると共に基端側を固着した固定ベースと、上記穿刺針の基端側に各々挿通した複数本のパイプと、このパイプの一端を各々装着するハブとを備えていることを特徴している。
【００１５】
かかる請求項５に記載の発明によれば、複数本の穿刺針を同時に穿刺して各々挿通した複数本のパイプをハブによって集合させることにより、総液流量を複数倍に増量することができ、カット面近傍の外径寸法を１００μｍ程度に細く形成した穿刺針であっても、十分な液流量を確保することができる。
【００１６】
【発明の実施の形態】
以下、図面に基づいて本発明の実施の形態を詳細に説明する。
【００１７】
図１、図２は、本発明にかかる医療用穿刺針の実施形態を示している。生体組織に対して悪影響を及ぼさない金属、合金、或いは合成樹脂等からなる穿刺針１は、中空管状体に形成され、先端にテーパー状の穿刺用カット面２が穿刺針１の軸方向に対して斜め方向に形成されている。この穿刺用カット面２は、直円錐体または斜円錐体であり、好ましくは直円錐体であり、皮膚を介して体内に穿刺される。ここで、体内とは、組織および血管等、皮膚の下にある身体の部分である。このような穿刺用カット面２を有する先端から５〜３０ｍｍの長さの間は外径寸法Ｄ１をほぼ１００μｍ程度とした小径部３が形成されている。この小径部３の長さは、体内に通常穿刺する挿入深さに設定される。
【００１８】
小径部３の外径寸法Ｄ１をほぼ１００μｍ程度に設定したのは通常の穿刺において穿刺痛を殆ど感じさせない太さと言われている。即ち、人体に穿刺して血液を吸入する蚊の針の外径寸法はほぼ１００μｍであり、通常の人は蚊に刺されても痛みを感じない。従って、穿刺針１においては、穿刺時に穿刺痛を感じさせないために先端側の外径寸法Ｄ１を上述の如くほぼ１００μｍとしている。尚、穿刺針１の先端側の外径寸法Ｄ１は、必ずしも１００μｍに限定されるものではなく、ほぼ１００μｍ程とは、穿刺針１として機能する最低限の内径寸法を確保すると共に、穿刺時の穿刺痛を軽減することが可能な、ほぼ８０μｍ乃至２００μｍの範囲を意味している。
【００１９】
穿刺針１は、以上のような小径部３から穿刺針１の基端に至るに従って階段状に漸次大径に形成している。図１、図２に示す実施態様においては、小径部３から連続して中径部４が形成され、続いて大径部５が形成された３段の外径寸法を有する穿刺針１に形成されている。大径部５の外径寸法は、図８に示したような通常に使用される注射器等に装着可能な内径寸法を有するような外径寸法に設定され、中径部４は中間的な外径寸法に設定している。
【００２０】
このように、中空管状体内の穿刺針１を階段状に漸次大径に形成することにより、基端では通常の注射器等に装着が可能であり、小径部３では穿刺痛を著しく軽減することができる。更に、小径部３が体内に穿刺する挿入深さだけの短い寸法であり、液流量を確保することができる。尚、図１、図２に示す実施態様は、小径部３と大径部５との間に中径部４を形成したが、小径部３と大径部５との間をテーパー状に形成しても良い。
【００２１】
一方、穿刺針１の製造方法は、プレスによる工法が採用できる。例えば、穿刺針１の大径部５と同等の外径寸法のパイプ素材に対し、中径部４および小径部３をプレスに設置した金型により押圧して形成する方法が望ましい。このとき、上記パイプ素材の肉が穿刺針１の軸方向に延出するように、パイプ素材の先端を引っ張りながら押圧することが良い。その他の工法としては、上記パイプ素材に対し、中径部４および小径部３の内径形状に等しい治具を挿入した後、外周から小径部３方向に向けてへら絞り加工を行うことも採用しても良い。
【００２２】
図３は、図１、図２によって説明した穿刺針１において、穿刺針のカット面近傍の外径寸法を細く形成しても、十分な液流量が確保できるようにした実施態様を示している。即ち、穿刺針１の中空管状体内には、渦巻き状の回転ロータ６が回転自在に配設されている。この回転ロータ６は、図４（Ａ）に示すように図示左方の基端側から図示右方の先端に至るまで漸次小径となるように形成され、穿刺針１の大径部５、中径部４、および、小径部３の各所における中空管状体内で自由に回転できるように軌跡円の直径が設定されている。また、回転ロータ６の基端側端面には、回転中心とするピボット部６ｂが突出形成されている。
【００２３】
このように基端側から先端に至るまで漸次小径となるように形成するために、回転ロータ６の素材は予め図４（Ｂ）に示すように形成されている。素材６ａは軽量かつ堅牢なチタン等の軽量金属材、または、注射器等に使用される合成樹脂から選択される。更に、血液または注射液等が流通するときの抵抗を極力小さくすると共に、穿刺針１内面との摩擦を低減させるために、幅方向の中央から両側に至るに従って漸次肉薄となるように断面形状を略扁平楕円状に形成している。但し、角部にバリ等が無ければ断面形状を長四角径に形成しても良い。また、素材６ａは穿刺針１の大径部５、中径部４、および、小径部３の各所における内径寸法に対応させて階段状に形成されている。この素材６ａは、図示しない工具により順次ひねりが加えられて、図４（Ａ）に示すように基端側から先端に至るまで渦巻き状に形成される。
【００２４】
以上の構成からなる回転ロータ６は、図３に示すように穿刺針１の中空管状体内に挿入配置される。そして、穿刺針１内に血液または注射液等が流通すると回転ロータ６が回転する。この回転によって血液または注射液等が流量を増加させることができる。即ち、前述のように小径部３はほぼ１００μｍ程度に小径に形成されているため、この部分における流量が低下するが、回転ロータ６の回転によって血液または注射液等を加圧して流通方向に加速させるので、小径部３の流量を増加させることができる。更に、回転ロータ６の回転によって血液または注射液等を渦巻き状に回転させることにより流通効率を高めるので流量が更に増加する。この結果、穿刺針１のカット面近傍の外径寸法を細く形成しても、十分な液流量を確保することができる。
【００２５】
回転ロータ６は、血液または注射液等によって受動的に回転し、穿刺針１内の流量を増加させるが、このとき、回転ロータ６が穿刺針１内で偏奇した場合には穿刺針１の中空管状体内面と摺動して摩擦抵抗が増大することによって効率が低下する。このような回転ロータ６の偏奇を軽減して穿刺針１に中央で回転させるために、図３に示すように、回転ロータ６を軸支することが望ましい。即ち、穿刺針１の大径部５内に軸受部７を嵌合固着し、回転ロータ６の基端側端面に突出形成したピボット部６ｂを軸支する。尚、軸受部７には、血液または注射液等の流通が阻害されないように、外周部と内周部の間に透孔が形成されている。このように構成した結果、回転ロータ６は軸受部７によって穿刺針１の中心位置で回転させることが可能となり、摺動による摩擦抵抗が大幅に減少するので、効率の低下を防止することができる。尚、回転ロータ６の先端側は自由回転状態にしているが、この部分は軌跡円の径が小さく周速が小さいので摺動による摩擦抵抗も小さいので、軸受部は必ずしも設けなくて良い。
【００２６】
図５は、回転ロータ６をモータ駆動によって能動的に回転させ、穿刺針１内を流通させる血液または注射液等の流量を大幅に増加させるための実施態様を示している。即ち、穿刺針１の中空管状体内部に配設した回転ロータ６に永久磁石からなる回転子部７が付設されている。更に、回転子部７に対応する穿刺針１の外周には固定子８が配設され、上記回転子部７と固定子８によってモータ部Ｍが構成されている。
【００２７】
回転子部７の永久磁石は、回転ロータ６の基端に付設され、血液または注射液等の液体の流通を許容するように扁平な略楕円状に形成し、直径の大きな個所にＮ、Ｓ極の磁極が着磁されている。一方、この回転子部７に対応位置した穿刺針１の外周に配設された固定子８は、複数の突極９が穿刺針１の外周を包囲するように円周上に配列している。各々の突極９には励磁コイル１０を巻回して、所謂インナーロータ型のモータを構成している。また、固定子８には、図示しないホール素子等からなる磁極検出器が配設され、上記回転子部７の磁極を検出するようにしている。上記励磁コイル１０および磁極検出器は、図示しない駆動回路に接続されている。
【００２８】
そして、上記磁極検出器によって上記回転子部７の磁極を検出し、その信号を駆動回路に送出することにより、回転子部７の磁極位置に対応した励磁コイル１０に所定の電流を通電して固定子８の突極９を励磁することにより、回転子部７を所定の方向に回転付勢する。更に、回転子部７が回転すると、磁極検出器が回転子部７の磁極を検出して、この磁極位置に対応した他の励磁コイル１０に所定の電流を通電して固定子８の突極９を励磁して回転子部７を更に回転付勢する。このように、回転子部７が順次回転子部７を回転付勢することによって、回転ロータ６が回転する。
【００２９】
回転ロータ６がモータ部Ｍの回転付勢によって回転すると、回転ロータ６が渦巻き状に形成されていることから、ポンプ作用が生じて穿刺針１の中空管状体内を流通する血液または注射液等の流通を加速させるので、液流量を大幅に増加させることができる。尚、回転ロータ６の回転速度は、必要な液流量に従って適宜に調整することが望ましく、このため、上記駆動回路には、回転速度調整機能を設けることが望ましい。また、上記モータは、インナーロータ型のブラシレスモータを例示したが、その他、インナーロータ型のインダクタンスモータ、リラクタンスモータ等に変更しても良く、モータの形式は問わない。
【００３０】
図６は、本発明にかかる穿刺針の他の実施態様を示し、穿刺針のカット面近傍の寸法を細く形成しても、十分な液流量が確保できるように、穿刺針１１の中空管状体内に、渦巻き状の溝または突条を形成したものである。図６においては、穿刺針１１の中空管状体内に１本の溝１２を形成している。尚、穿刺針１１の中空管状体内には２本以上の複数本の溝１２を形成しても良い。この溝１２は、先端にカッターを有する工具を穿刺針１１の中空管状体内に回転させながら挿通させることにより刻設する。また、溝１２とは逆に、穿刺針１１の中空管状体内に突出する１本乃至複数本の突条を形成するようにしても良い。
【００３１】
以上のように、穿刺針１１の中空管状体内に溝１２または突条を形成すると、血液または注射液等は、流通するときに溝１２または突条によって渦巻き状に回転する。この結果、流通効率が高くなるので流量が更に増加し、穿刺針１１のカット面近傍の外径寸法を細く形成しても、十分な液流量を得ることができる。
【００３２】
図７は、本発明にかかる医療用穿刺針ユニットの実施態様を示している。この実施態様は、穿刺針のカット面近傍の外径寸法を細く形成することによる液流量の低下を複数本の穿刺針によって複数倍に増加させるものである。即ち、穿刺針ユニットは、複数本の穿刺針を固着した固定ベースと、穿刺針の基端側に各々挿通した複数本のパイプと、このパイプの一端を各々装着するハブとによって構成されている。
【００３３】
この実施態様において使用する穿刺針は、図１、図３および図６に示したものを使用することができるが、説明の便宜上、図１において説明した穿刺針１を用いることとする。穿刺針１は、前述したように中空管状体に形成され、先端にテーパー状の穿刺用カット面２を有し、カット面２の近傍から基端に至るに従って階段状に漸次大径に形成されている。図７に例示する穿刺針ユニットにおいては、３本の穿刺針１の基端側を固定ベース１３に固着している。
【００３４】
固定ベース１３には、合成樹脂等によって形成され、３本の穿刺針１を挿通する透孔１４がほぼ等間隔に形成されている。この透孔１４の内径は、穿刺針１を軽圧入する程度に設定されている。更に、固定ベース１３の上面には、後述するパイプ１９を嵌合するための溝部１５が透孔１４に連通して形成されている。更に、上面両側には突堤１６が形成され、その内方には凹所が形成されている。この凹所には、固定ベース１３の上面を封止すると共に、パイプ１９を押圧固定するための蓋１７が嵌合される。また、固定ベース１３の下面両側には突台部１８が突出形成されている。
【００３５】
そして、固定ベース１３の透孔１４に３本の穿刺針１を各々挿通し、基端を軽圧入して固着する。このとき、穿刺針１の穿刺用カット面２側は、固定ベース１３の突台部１８よりも突出させている。こ穿刺針１の突出寸法は、体内に通常穿刺する挿入深さに設定することが望ましい。また、穿刺針１の基端側には３本のパイプ１９が各々装着されている。このパイプ１９は、加撓性を有する例えばシリコン製のパイプ等からなり、穿刺針１に各々装着されたパイプ１９は、屈曲して溝部１５に嵌合することにより固定される。
【００３６】
パイプ１９の一端はハブ２０に装着される。ハブ２０の一端面には３個の孔２１が形成され、各々パイプ１９を挿通している。そして、ハブ２０は中空に形成され、各々のパイプ１９は中空の空間に連通している。更に、ハブ２０の他端には針２２が取り付けられ、例えば、点滴用ユニットに連結するようにしている。
【００３７】
以上のように構成した医療用穿刺針ユニットを使用する際には、固定ベース１３の突台部１８よりも突出した３本の穿刺針１の穿刺用カット面２側を同時に体内に穿刺する。このとき、各穿刺針１は、固定ベース１３から垂直に突出しているので、体内には均等に穿刺される。この穿刺時には、穿刺針１の穿刺用カット面２側がほぼ１００μｍ程度の外径寸法に細く形成されているので、３本の穿刺針１を同時に穿刺しても穿刺は殆ど感じられない。また、穿刺針１の突出量は、固定ベース１３下面両側に突出形成された突台部１８が当接することにより制限されるので、最適な穿刺寸法が確保される。
【００３８】
このようにして、３本の穿刺針１を体内に穿刺することにより、３本の穿刺針１には血液または注射液が均等に流通する。この結果、血液または注射液等の液流量は３倍に増加させることができる。例えば、以上説明した医療用穿刺針ユニットを点滴用ユニットに連結した場合には、ハブ２０の他端に取り付けられた針２２を介して注射液がハブ２０に送られた後、３本のパイプ１９に分配して流通する。その後、３本の穿刺針１に注射液が均等に流通して体内に送出される。このとき、３本の穿刺針１によって液流量が３倍に増加するので、注射時間は３分の１に短縮することができる。また、固定ベース１３の上面から図示しない医療用の粘着テープを粘着すると共に、皮膚に粘着することにより、固定ベース１３を容易に固定することができる。
【００３９】
尚、各実施態様において、穿刺針の液流量を増加するために回転ロータとして、大径部、中径部および小径部に至るまで長尺に形成したが、大径部と中径部の長さ、或いは、大径部のみの長さに形成して血液または注射液等の流通を加速または渦巻きを発生させるようにしても良い。また、穿刺針の大径部の外径寸法については特に言及しなかったが、一般に使用される０．８ｍｍ乃至１．５ｍｍの穿刺針に適用可能である。以上の他、本発明を逸脱しない範囲において種々変更可能であることは勿論である。
【００４０】
【発明の効果】
以上説明した本発明によれば、請求項１記載の発明にかかる医療用穿刺針は、穿刺針のカット面近傍の外径寸法を極小径に形成しているので、穿刺痛を軽減もしくは無痛にすることができる。また、カット面近傍から基端に至るに従って漸次大径に形成しているので、一般に用いられる注射器等と同様に使用することができる。更に、通常の機械加工によって容易に製造することが可能であり、安価な穿刺針を提供することができる。
【００４１】
また、請求項２に記載の医療用穿刺針によれば、穿刺針の中空管状体内部に血液又は注射液が流通するとき、渦巻き状の回転ロータを回転して液体の流通を加速させたり、流通効率を高めるので、穿刺針のカット面近傍の外径寸法を細く形成しても、十分な液流量を確保することができる。
【００４２】
更に、請求項３に記載の医療用穿刺針によれば、モータ部によって回転子を付設した回転ロータを回転付勢することにより、血液または注射液を能動的に加速させるので、穿刺針のカット面近傍の外径寸法を細く形成しても、十分な液流量を確保することができる。
【００４３】
また、請求項４に記載の医療用穿刺針によれば、穿刺針内面に形成した渦巻き状の溝または突条によって、血液又は注射液が流通するときに渦巻き状に回転するので、液体の流通が加速され、穿刺針のカット面近傍の外径寸法を細く形成しても十分な液流量を確保することができる。
【００４４】
更にまた、請求項５に記載の医療用穿刺針ユニットによれば、複数本の穿刺針を同時に穿刺して各々挿通した複数本のパイプをハブによって集合させることにより、総液流量を複数倍に増量することができ、カット面近傍の外径寸法を細く形成した穿刺針であっても、十分な液流量を確保することができる。
【図面の簡単な説明】
【図１】本発明にかかる医療用穿刺針の実施態様を示す断面図である。
【図２】図１に示す医療用穿刺針の外形を示す斜視図である。
【図３】本発明にかかる医療用穿刺針の第２の実施態様を示す断面図である。
【図４】（Ａ）（Ｂ）は、回転ロータを示す正面図である。
【図５】本発明にかかる医療用穿刺針の第３の実施態様を示す断面図である。
【図６】本発明にかかる医療用穿刺針の第４の実施態様を示す断面図である。
【図７】本発明にかかる医療用穿刺針ユニットを示す断面図である。
【図８】従来の医療用穿刺針を示す断面図である。
【符号の説明】
１　　　穿刺針
２　　　穿刺用カット面
３　　　小径部
４　　　中径部
５　　　大径部
６　　　回転ロータ
７　　　回転子部
８　　　固定子
１２　　溝
１３　　固定ベース
１９　　パイプ
２０　　ハブ
【図１】
2004008522.tif 000003
【図２】
2004008522.tif 000004
【図３】
2004008522.tif 000005
【図４】
2004008522.tif 000006
【図５】
2004008522.tif 000007
【図６】
2004008522.tif 000008
【図７】
2004008522.tif 000009
【図８】
2004008522.tif 000010